(57)【特許請求の範囲】
【請求項１】
読取対象の原稿が載置されたコンタクトガラス面に沿って光照射しながら走査し，該走査により得られる反射光を順次導いて原稿画像を読み取る読取光学系を有する等倍センサユニットにおいて，
少なくとも前記読取光学系を保護し，該読取光学系からの光束が通過する開口部を有するカバー部と，
前記読取光学系に侵入する塵埃を遮断し，前記カバー部の直下に位置し，前記開口部と略同一の開口部をもつ防塵シートと，
フレームなどの構造体に保持され，前記防塵シートの開口部を覆うように密着・固定して設けられた防塵ガラスと，
を備え，前記構造体に対して着脱自在に構成したことを特徴とする等倍センサユニット。
【請求項２】
前記防塵シートに替えて，前記防塵ガラスに対して密着固定せず，かつ前記開口部をもたずに読取光束が透過可能な透明材料で成る防塵シートを備えたことを特徴とする請求項１に記載の等倍センサユニット。
【請求項３】
前記防塵ガラスを削除したことを特徴とする請求項２に記載の等倍センサユニット。
【発明の詳細な説明】
【０００１】
【発明が属する技術分野】
本発明は，複写機やフラットヘッドスキャナ，ファクシミリなどの画像入力デバイスに利用され，特に，読取反射光を光学素子に導く読取光学系への塵埃の侵入を阻止し，かつその防塵部品を容易に着脱可能とした等倍センサユニットに関する。
【０００２】
【従来の技術】
従来，ＣＣＤサンサを用いた縮小光学系では，折り返しミラーなどの駆動部分のスペースによりスキャナ部分の高さを多く必要としていた。そこで，薄型化を図るために下記のような密着型のイメージセンサユニットが開発されてきている。
【０００３】
図５は，従来における等倍センサユニットの構成を示す断面図である。図において，１１は原稿を照明するランプ，１２は原稿読取光が結像されるＣＣＤなどのセンサチップ１３が搭載されたセンサ基板，１４はルーフミラーアレイ，１５はレンズアレイ，１６および１７はレンズアレイ１５の前後にそれぞれ設けられた絞り板，１８は読取光を９０度方向に偏向し，センサチップ１３に導く光路分離ミラーである。
【０００４】
上記光学部品は，ユニットの筐体をなすアルミ押し出し品を用いたフレームＡ１９とフレームＢ２０などの構造体により支持・保護されている。また，２１は読取部の上に設けられ，光学系への塵埃の侵入を防止するための防塵ガラス，２２は遮光板，２３はランプカバーである。また，３０は原稿が載置されるコンタクトガラスである。
【０００５】
上記構成において，読取対象の原稿が載置されたコンタクトガラス３０面に沿ってランプ２３を照射しながら所定速度で走査し，その反射光が防塵ガラス２１を通してレンズ系および光路分離ミラー１８を介してセンサ基板１２のセンサチップ１３に順次結像される。これにより，原稿画像に応じた光学画像がセンサチップ１３にラインごとに結像され，原稿画像を読み取っている。
【０００６】
また，遮光板２２とフレームＡ１９およびフレームＢ２０と防塵ガラス２１とをお互いに接着で固定しているため，防塵ガラス２１上にたまる塵埃は，防塵ガラス２１と遮光板２２との隙間を除き読取光学系の中には侵入しないことになっている。
【０００７】
【発明が解決しようとする課題】
しかしながら，上記に示されるような従来の等倍センサユニットにあっては，センサ内部への塵埃侵入を阻止する狙いから，防塵ガラスとその上の遮光板やフレームとの間で各部品が接着・固定しているため，組立時およびメンテナンスなどにおいて分解時に手間がかかって，そのコストアップを招来させ，さらには分解時において部品を破損する可能性が大きいなどの問題点があった。
【０００８】
本発明は，上記に鑑みてなされたものであって，センサ内部への塵埃侵入を阻止する構造でありながら，防塵部分の組立・分解を容易に実現し，比較的簡単な構成で部品の組立性やメンテナンス性を向上させることを目的とする。
【０００９】
【課題を解決するための手段】
上記の目的を達成するために，請求項１に係る等倍センサユニットにあっては，読取対象の原稿が載置されたコンタクトガラス面に沿って光照射しながら走査し，該走査により得られる反射光を順次導いて原稿画像を読み取る読取光学系を有する等倍センサユニットにおいて，少なくとも前記読取光学系を保護し，該読取光学系からの光束が通過する開口部を有するカバー部と，前記読取光学系に侵入する塵埃を遮断し，前記カバー部の直下に位置し，前記開口部と略同一の開口部をもつ防塵シートと，フレームなどの構造体に保持され，前記防塵シートの開口部を覆うように密着・固定して設けられた防塵ガラスと，を備え，前記構造体に対して着脱自在に構成したものである。
【００１０】
すなわち，読取光学系を保護し，該読取光学系からの光束が通過する開口部を有するカバー部と，該カバー部の直下に，読取光学系に侵入する塵埃を遮断するために，カバー部の開口部と略同一の開口部をもつ防塵シートと，フレームなどの構造体に保持され，防塵シートの開口部を覆うように密着・固定して設けられた防塵ガラスと，を備え，これを構造体に対して着脱自在に構成したので，読取光学系への塵埃侵入を阻止することができると共に，その防塵部品の組立・分解が容易になるので生産性やサービス性の向上につながる。
【００１１】
また，請求項２に係る等倍センサユニットにあっては，前記防塵シートに替えて，前記防塵ガラスに対して密着固定せず，かつ前記開口部をもたずに読取光束が透過可能な透明材料で成る防塵シートを備えたものである。
【００１２】
すなわち，請求項１に加え，防塵シートを開口部を持たない透明な材料で作製することにより，該防塵シートと防塵ガラスとを接着などの手段で固定する必要がないので，製造コストを下げることが可能となる。
【００１３】
また，請求項３に係る等倍センサユニットにあっては，前記請求項２において，前記防塵ガラスを削除したものである。
【００１４】
すなわち，請求項２において，防塵シートを透明材料で作製することにより防塵ガラスの機能の兼ねられ，防塵ガラスの削除が実現するので，さらに製造コストを下げることが可能となる。
【００１５】
【発明の実施の形態】
以下，本発明の等倍センサユニットについて添付図面を参照し，詳細に説明する。
【００１６】
〔実施の形態１〕
図１は，実施の形態１に係る等倍センサユニットの構成を示す断面図である。図において，１０１は原稿を照明するランプ，１０２は原稿読取光が結像されるＣＣＤなどのセンサチップ１０３が搭載されたセンサ基板，１０４はルーフミラーアレイ，１０５はレンズアレイ，１０６および１０７はレンズアレイ１０５の前後にそれぞれ設けられた絞り板，１０８は読取光を９０度方向に偏向し，センサチップ１０３に導く光路分離ミラーである。
【００１７】
上記光学部品は，ユニットの筐体をなすモールド一体加工で製作されるフレーム１０９〜１１３と，底板１１４などの構造体により支持・保護されている。また，１１５はフレーム１１２の上に設けられ，光学系への塵埃の侵入を防止するための防塵ガラス，１１６は防塵ガラス１１５の上に接着剤／糊などにより接着・固定され，読取光束を通過するための開口部が設けられている防塵シート，１１７は防塵ガラス１１５と接触させ，上記読取光学系全体を保護し，防塵シート１１６の開口部と略同一の開口部１１７ａを有する上カバーである。
【００１８】
さらに，防塵ガラス１１５はフレーム１１２の上に置かれてフレーム１１２と接触しているが，その保持は防塵シート１１６を通して上カバー１１７により上からフレーム１１２に押さえつけられている。また，防塵ガラス１１５の両端部はフレーム１１３に対しても接触している。また，上カバー１１７は，フレーム１１０および１１３に対してネジ締結あるいははめ込みなどの接合手段で着脱自在に構成されている。
【００１９】
上記のように構成された等倍センサユニットでは，上カバー１１７の開口部１１７ａから塵埃が上カバー１１７と防塵シート１１６との間に侵入する。しかし，上記構成では侵入した塵埃は，上カバー１１７と防塵シート１１６との間に止まるか，あるいは上カバー１１７と防塵シート１１６との隙間から外部に出ていくか，あるいはセンサ基板１０２の背面に移動する。
【００２０】
ところで，防塵シート１１６は，光学的な乱反射を回避するためにその表面は黒の艶消し処理が施されていることが望ましい。また，防塵シート１１６の材料として柔らかい材料であれば，形状の精度がそれほど必要とならず，かつ組み立てがし易いので，低コストとなる。
【００２１】
図２は，防塵シート１１６と防塵ガラス１１５との位置関係を示す平面図である。この図２に示すように，防塵シート１１６に防塵ガラス１１７の開口部１１７ａの周囲で接着などの固定方法で密着固定されている。
【００２２】
したがって，上記のように等倍センサユニットの読取光学系を構成することにより，読取光学系に侵入する塵埃を阻止することが可能となると共に，フレームに対して着脱自在に構成したので組立性およびメンテナンス性が向上し，しかも製造コスト低下により経済性も向上する。
【００２３】
〔実施の形態２〕
この実施の形態２では，上記実施の形態１に対し，防塵シートを読取光が透過可能な透明材料のものを用い，防塵ガラスと密着固定せず，かつカバー部に対応するような開口部を持たないものとした例について説明する。
【００２４】
図３は，実施の形態２に係る等倍センサユニットの構成を示す断面図である。図において，この等倍センサユニットは，前述の実施の形態１で示した開口部を有する防塵シート１１６に対し，読取光学系の光束が透過可能な透明材料で成る防塵シート３０１を用いる。したがって，他の構成要素およびその機能は実施の形態１と同様であるので，図１と同一符号を付してその説明は省略する。
【００２５】
すなわち，読取光学系の光束が透過可能な透明材料の防塵シート３０１を用い，防塵シート３０１が防塵ガラス１１５と密着固定しないことにより，接着などの製造工程がなくなるので，防塵機能を維持したままの状態でさらに製造コストを下げることが可能となる。
【００２６】
〔実施の形態３〕
この実施の形態３では，上記実施の形態２で示した等倍センサユニットの構成（図３参照）において，防塵ガラス１１５の機能をある程度剛性をもった透明材料の防塵シート４０１で代用することにより，防塵ガラス１１５を削除した構成とする。
【００２７】
すなわち，図４の実施の形態２に係る等倍センサユニットの構成を示す断面図のように，防塵ガラス１１５を不要とした構成とすることにより，実施の形態２に対し，防塵機能を維持したままの状態でさらに製造コストを下げることが可能となる。
【００２８】
【発明の効果】
以上説明したように，本発明に係る等倍センサユニット（請求項１）によれば，読取光学系を保護し，該読取光学系からの光束が通過する開口部を有するカバー部と，該カバー部の直下に，読取光学系に侵入する塵埃を遮断するために，カバー部の開口部と略同一の開口部をもつ防塵シートと，フレームなどの構造体に保持され，防塵シートの開口部を覆うように密着・固定して設けられた防塵ガラスと，を備え，これを構造体に対して着脱自在に構成したので，塵埃侵入を阻止することができると共に，その防塵部品の組立・分解が容易になるので生産性やサービス性の向上を図ることができる。
【００２９】
また，本発明に係る等倍センサユニット（請求項２）によれば，請求項１に加え，防塵シートを開口部を持たない透明な材料で作製することにより，該防塵シートと防塵ガラスとを接着などの手段で固定する必要がないので，製造コストを下げることができる。
【００３０】
また，本発明に係る等倍センサユニット（請求項３）によれば，請求項２において，防塵シートを透明材料で作製することで防塵ガラスの機能も兼ねられ，防塵ガラスを削除することが実現するので，さらに製造コストを下げることができる。
【図面の簡単な説明】
【図１】実施の形態１に係る等倍センサユニットの構成を示す断面図である。
【図２】図１における防塵シートと防塵ガラスとの位置関係を示す平面図である。
【図３】実施の形態２に係る等倍センサユニットの構成を示す断面図である。
【図４】実施の形態３に係る等倍センサユニットの構成を示す断面図である。
【図５】従来における等倍センサユニットの構成を示す断面図である。
【符号の説明】
１０１  ランプ
１０３  センサチップ
１０９〜１１３  フレーム
１１５  防塵ガラス
１１６  防塵シート
１１７  上カバー
１１７ａ  開口部
【図１】
0003576348.tif 000002
【図２】
0003576348.tif 000003
【図３】
0003576348.tif 000004
【図４】
0003576348.tif 000005
【図５】
0003576348.tif 000006